(57)【要約】【解決手段】  本発明は、多数の外周方向において互いに移動可能に設けられた部材３から構成された締付リング４でもって、スリーブ２との、差込み端部１の引き抜かれないような、および封隙状態の結合のための管結合装置であって、この締付リングが、可変の外周を有しており、且つ、緊張リング５でもって、スリーブリング６に対して緊張可能であり、その際、この緊張リング５が緊張円錐面７を、およびこのスリーブリング６がスリーブ円錐面８を有しており、および、その際、これら両方の円錐面７、８が、締付リング４および管体中心軸線１０の方向に指向しており、および、その際、この締付リング４の幅９が、中心軸線１０からの増大する間隔でもって減少する、様式の上記管結合装置に関し、その際、部材３が、それぞれに１つの差込み部分１４および収容部分１５を有しており、この収容部分１５が、サイドフランジ１６を有しており、これらサイドフランジが、その次の部材の差込み部分１４を、側方で、緊張円錐面７およびスリーブ円錐面８の領域内において、少なくとも部分的に取り囲んでいる。
2013524110.tif 000002
【特許請求の範囲】
【請求項１】
多数の外周方向において互いに移動可能に設けられた部材（３）から構成された締付リング（４）でもって、
スリーブ（２）との、差込み端部（１）の引き抜かれないような、および封隙状態の結合のための管結合装置であって、
この締付リングが、可変の外周を有しており、且つ、緊張リング（５）でもって、スリーブリング（６）に対して緊張可能であり、
その際、この緊張リング（５）が緊張円錐面（７）を、およびこのスリーブリング（６）がスリーブ円錐面（８）を有しており、および、
その際、これら両方の円錐面（７、８）が、締付リング（４）および管体中心軸線（１０）の方向に指向しており、および、その際、
この締付リング（４）の幅（９）が、中心軸線（１０）からの増大する間隔でもって減少する、様式の上記管結合装置において、
部材（３）が、それぞれに１つの差込み部分（１４）および収容部分（１５）を有しており、
この収容部分（１５）が、サイドフランジ（１６）を有しており、
これらサイドフランジが、その次の部材の差込み部分（１４）を、側方で、緊張円錐面（７）およびスリーブ円錐面（８）の領域内において、少なくとも部分的に取り囲んでいる、
ことを特徴とする管結合装置。
【請求項２】
部材（３）の結合のために、ピン部（１７）および窪み部（１８）が設けられていること、および、
１つの部材（３）の上記ピン部が、その次の部材（３）の上記窪み部内へと挿入可能であることを特徴とする請求項１に記載の管結合装置。
【請求項３】
ピン部（１７）は、
ほぼ管体中心軸線（１０）に対して平行に、指向する状態で設けられていることを特徴とする請求項２に記載の管結合装置。
【請求項４】
ピン部（１７）は、差込み部分（１４）に設けられていること、および、
窪み部（１８）が、収容部分（１５）のサイドフランジ（１６）の内側に設けられていることを特徴とする請求項２または３に記載の管結合装置。
【請求項５】
ピン部（１７）および窪み部（１８）は、
相互の部材（３）の位置移動、および、ピン部（１７）を中心としての部材の回転が可能であり、その際、１つの部材（３）の位置移動が、その次の部材（３）に対して相対的に、半径方向内において阻止されている、
ように形成されていることを特徴とする請求項２から４のいずれか一つに記載の管結合装置。
【請求項６】
窪み部（１８）は、長手孔形状に形成されていることを特徴とする請求項２から５のいずれか一つに記載の管結合装置。
【請求項７】
１つの部材（３）のサイドフランジ（１６）は、その次の部材（３）を、側方で、この部材の全高さにわたって取り囲んでいることを特徴とする請求項１から６のいずれか一つに記載の管結合装置。
【請求項８】
サイドフランジ（１６）は、エプロン要素（３２）を有しており、これらエプロン要素が、その次の部材（３）を、少なくとも部分的に、側方で上から覆っていることを特徴とする請求項１から７のいずれか一つに記載の管結合装置。
【請求項９】
エプロン要素（３２）は、その次の部材のサイドフランジ（１６）を、少なくとも部分的に上から覆っていることを特徴とする請求項１から８のいずれか一つに記載の管結合装置。
【請求項１０】
封隙リング（１１）が設けられており、
この封隙リングが、締付リング（４）に、少なくとも管側（１２）およびスリーブ側（１３）において、この締付リングの十分な外周において接触していることを特徴とする請求項１から９のいずれか一つに記載の管結合装置。
【請求項１１】
汚染封隙唇状片（２２）が設けられており、
この汚染封隙唇状片が、緊張リング（５）とスリーブリング（６）との間の間隙を、及び／または、締付リング（４）の外方へと指向する面を覆っていること、および、
この汚染封隙唇状片が、有利な方法で、封隙リング（１１）に設けられていることを特徴とする請求項１から１０のいずれか一つに記載の管結合装置。
【請求項１２】
締付リング（４）において、封隙溝部（２７）が、封隙リング（１１）の保持突起部（２８）の収容のために設けられており、
この封隙溝部が、有利な方法で、締付リング（４）の管側（１２）において、リング状に、個別の部材３内における、この締付リングの全外周の周囲に切り欠かれていることを特徴とする請求項１から１１のいずれか一つに記載の管結合装置。
【請求項１３】
締付リング（４）の管側（１２）において、グリップ要素（２１）が設けられていることを特徴とする請求項１から１２のいずれか一つに記載の管結合装置。
【請求項１４】
グリップ要素（２１）は、少なくとも、このグリップ要素の、管体の方を向いた面において、グリップ用ぎざぎざ部（２９）を有していること、および、
これらグリップ用ぎざぎざ部が、有利には、締付られる差込み端部（１）よりも硬質の表面を有していることを特徴とする請求項１から１３のいずれか一つに記載の管結合装置。
【請求項１５】
緊張リング（５）は、緊張要素（２０）でもって、スリーブリング（６）に対して緊張可能であり、その際、
この緊張力が、少なくとも部分的に、緊張円錐面（７）、スリーブ円錐面（８）、および締付リング（４）を介して、差込み端部（１）の方向に整向されていることを特徴とする請求項１から１４のいずれか一つに記載の管結合装置。
【請求項１６】
緊張リング（５）は、ねじ要素（１９）でもって、スリーブリング（６）に対して緊張可能であり、その際、
この緊張力が、少なくとも部分的に、緊張円錐面（７）、スリーブ円錐面（８）、および締付リング（４）を介して、差込み端部（１）の方向に整向されていることを特徴とする請求項１から１５のいずれか一つに記載の管結合装置。
【請求項１７】
引抜き力は、緊張円錐面（７）、および、
この緊張円錐面の方を向いた締付リング（４）の部分の角度（α）を介して、差込み端部（１）の方向に整向されていることを特徴とする請求項１から１６のいずれか一つに記載の管結合装置。
【発明の詳細な説明】
【技術分野】
【０００１】
本発明は、多数の外周方向において互いに移動可能に設けられた部材から構成された締付リングでもって、
スリーブとの、差込み端部の引き抜かれないような、および封隙状態の結合のための管結合装置であって、
この締付リングが、可変の外周を有しており、且つ、緊張リングでもって、スリーブリングに対して緊張可能であり、
その際、この緊張リングが緊張円錐面を、およびこのスリーブリングがスリーブ円錐面を有しており、および、
その際、これら両方の円錐面が、締付リングおよび管体中心軸線の方向に指向しており、および、その際、
この締付リングの幅が、中心軸線からの増大する間隔でもって減少する、様式の上記管結合装置に関する。
【背景技術】
【０００２】
管体の結合のための、特に、差込み端部とスリーブとの、引き抜かれないような、および封隙状態の結合のための装置は、久しく長い以前から公知である。
【０００３】
２つの管体、特に差込み端部でもってのスリーブの結合の形成は、導管システムの場合多数の異なる方法で行われ得る、工程である。実際上は、この様式の結合の品質の良さ（Guete）を記載する、２つの主な論評が存在する。
【０００４】
第１の論評は、引抜き防止である。
圧力負荷された管体の場合、しかしながら同様に、多数の管体から成る、比較的に長い導管システムの場合にも、結合の分離を、引張力、もしくは圧縮力によって、防止することは、必要である。従って、導管システム内において、熱間もしくは冷間応力によって、地面の沈下によって、しかしながら同様に、圧力負荷された媒体によって、管体システム内において、比較的に大きな、数千のニュートンの引抜き力が生じる。この理由から、引抜き防止を行うことは必要である。
この引抜き防止は、大抵、くさび状面を介して行われ、このことによって、リングが、引抜き運動の際に、自己制動状態において、差込み端部に対して押圧される。
【０００５】
従来の引抜き防止の場合に課せられている課題は、締付リングが、単に、極めて制限された程度においてだけ、差込み端部の外側周囲に対して適合可能であることである。実際上、しかしながら、例えば管体が破損した場合、確かにこの管体の内側寸法が周知であるが、この管体の外側寸法はしかしながら、管体の使用される材料に依存し、且つ従って、周知ではないということが起きる。
特に、古い導管の場合、従って、修理ダクトの開放の際に初めて、この管体が、合成物質、鋼、またはその種の他の物かどうかが明らかになるということが起きる。材料に応じて、管体の厚さ、および従ってこの管体の外径は変化する。
修理チームのために、従来、従って、異なるスリーブを異なる外径のために携行することが、必要であった。この余分な経費を除去するために、久しく長い以前から、この様式の管体の異なる外径に対して自在に適合可能である、スリーブ結合を提供することの努力が存在する。
【０００６】
第２の論評は、結合の封隙性である。
同様に、管体媒体、例えばガスまたは水の流出に対する抵抗の場合、極めて高い圧力が、導管内に存在していることは、顧慮されるべきである。
封隙作用の場合、更に、
管体およびスリーブが、ある程度の表面非平滑性を有することが可能であること、
締付力が極めて強く変化可能であること、
長円形の変形の状態になる可能性があること、および、
多くの場合に、管体が、面一の状態に、互いに接し合うように並べられていないこと、
が顧慮されるべきである。
全てのこれら影響は、この様式の結合の封隙作用を阻害するべきではない。更に、同様に、周辺の媒体によって、または同様に、この管体内において案内される媒体によっての汚染に対する封隙も回避されるべきである。何故ならば、連結要素の移動可能性、および従って引抜き防止、および封隙性が、阻害されるからである。
【０００７】
特許文献１は、例えば、スリーブとの、差込み端部のための、引き抜かれないような、および封隙状態の結合を開示している。
その際、多数の互いに位置移動可能な締付要素から成っている締付リング、および、スリーブを管体に対して封隙する封隙リングが設けられている。この差込み端部に対する締付リングの締付けは、２つのくさび状面を用いて行われ、これらくさび状面が、固定ねじの締付けによって、この締付リングが半径方向に内方へと押圧されるように、互いに案内される。
この装置において、この実施形態によって、単に極めて僅かの寸法だけが異なる管直径に対する適合において可能であることは欠点である。更に、この封隙は、締付要素の下へと引っ張られず、このことは、実際上は、不利であることが判った。
同様に、この封隙は、単にくさび状のリングの迂回路だけを介して差込み端部に対して押圧され、且つ、従って、危険に曝された状態で、高い管押圧の場合に緩められ得る。
【０００８】
上記の様式の管結合の更なる発展を。特許文献２が示している。
この特許文献２は、封隙機構と締付リングでもっての、管体と差込み端部のための１つの管結合を開示しており、その際、この締付リングが、滑動する、互いに並列に位置している要素から成っており、これら要素が、１つの軸線を中心として管体軸線に対して平行に回転可能であり、従って、虹彩絞り状に（irisartig）内径を減少させる。この封隙作用は、封隙輪によって行われ、この封隙輪が、締付リングの管側から、この締付リングの周りを回って、スリーブ側へと延在している。
この構造において、差込み端部の管外径に対する締付装置の適合のために、これら部材の位置移動可能性が、互いにそれぞれの時点で可能でなくてはならないこと、および、
２つまたは多数の部材の強固な結合の際に、汚染によって、完全なリングが剛固になり、且つ従って、このリングの作用が強度に制限されていることは欠点である。
【０００９】
従来技術に相応する多領域連結装置（Mehrbereichskupplung）の更なる欠点は、緊張リング−締付リング−スリーブリングの間の結合部の結合、および緊張が、専ら、ねじを介して行われることである。４つから８つまでの、外周において分配されたねじの場合、このことは、時間のかかる工程である。何故ならば、傾倒の回避のために、これらねじが、単に、一つ一つ、締付けられ得るだけだからである。
【先行技術文献】
【特許文献】
【００１０】
【特許文献１】国際出願公開第９０／０７６７１号パンフレット
【特許文献２】独国出願公開第６９７０８４８０  Ｔ２明細書
【発明の概要】
【発明が解決しようとする課題】
【００１１】
本発明の課題は、スリーブとの差込み端部の結合を行うことであり、
この結合が、引き抜かれないように、十分に封隙状態で、且つ、この結合の使用領域内において可変であり、且つ更に、
汚染、高い引抜き力、高い媒体圧力に対して抵抗力が強く、
更に、この結合が、容易に、使用状態において迅速に組み込み可能であり、且つ迅速に組み付け可能であり、並びに、長い耐用期間を有している。
【課題を解決するための手段】
【００１２】
この本発明に従う課題は、
部材が、それぞれに１つの差込み部分および収容部分を有しており、
この収容部分が、サイドフランジを有しており、
これらサイドフランジが、その次の部材の差込み部分を、側方で、緊張円錐面およびスリーブ円錐面の領域内において、少なくとも部分的に取り囲んでいる、
ことによって解決される。
【発明の効果】
【００１３】
更に、この管結合装置は、
部材の結合のために、ピン部および窪み部が設けられていること、１つの部材３の上記ピン部が、その次の部材３の上記窪み部内へと挿入可能であること、
ピン部が、ほぼ管体中心軸線に対して平行に、指向する状態で設けられていること、および、
窪み部が、収容部分のサイドフランジの内側に設けられていることによって特徴付けられている。
【００１４】
更なる有利な特徴は、
ピン部および窪み部が、相互の部材の位置移動、および、ピン部を中心としての部材の回転が可能であり、その際、１つの部材の位置移動が、その次の部材に対して相対的に、半径方向内において阻止されている、ように形成されていること、
窪み部が、長手孔形状に形成されていること、
１つの部材のサイドフランジが、その次の部材を、側方で、この部材の全高さにわたって取り囲んでいること、および、
サイドフランジが、エプロン要素を有しており、これらエプロン要素が、その次の部材を、少なくとも部分的に、側方で上から覆っていることである。
【００１５】
更に、本発明に従う管結合装置は、
エプロン要素が、その次の部材のサイドフランジを、少なくとも部分的に上から覆っていること、
封隙リングが設けられており、
この封隙リングが、締付リングに、少なくとも管側およびスリーブ側において、この締付リングの十分な外周において接触していること、および、
汚染封隙唇状片が設けられており、
この汚染封隙唇状片が、緊張リングとスリーブリングとの間の間隙を、及び／または、締付リングの外方へと指向する面を覆っていること、および、
この汚染封隙唇状片が、有利な方法で、封隙リングに設けられていること、によって特徴付けられている。
【００１６】
本発明に従い、
締付リングにおいて、封隙溝部が、封隙リングの保持突起部の収容のために設けられており、
この封隙溝部が、有利な方法で、締付リングの管側において、リング状に、個別の部材内における、この締付リングの全外周の周囲に切り欠かれていること、
締付リングの管側において、グリップ要素が設けられていること、
グリップ要素が、少なくとも、このグリップ要素の、管体の方を向いた面において、グリップ用ぎざぎざ部を有していること、および、
これらグリップ用ぎざぎざ部が、有利には、締付られる差込み端部よりも硬質の表面を有していることが行われる。
【００１７】
更に、この管結合装置は、
緊張リングが、緊張要素でもって、スリーブリングに対して緊張可能であり、その際、
この緊張力が、少なくとも部分的に、緊張円錐面、スリーブ円錐面、および締付リングを介して、差込み端部の方向に整向されていること、
緊張リングが、ねじ要素でもって、スリーブリングに対して緊張可能であり、その際、
この緊張力が、少なくとも部分的に、緊張円錐面、スリーブ円錐面、および締付リングを介して、差込み端部の方向に整向されていること、および、
引抜き力が、緊張円錐面、および、
この緊張円錐面の方を向いた締付リングの部分の角度αを介して、差込み端部の方向に整向されていること、によって特徴付けられている。
【００１８】
更なる有利な特徴は、明細書、請求の範囲、並びに図面から与えられる。
【００１９】
次に、本発明を、実施例に基づいて詳しく説明する。
【図面の簡単な説明】
【００２０】
【図１】本発明に従う管結合装置の断面図である。
【図２】本発明に従う管結合装置の詳細な断面図である。
【図３】本発明に従う装置の締付結合の断面図である。
【図４】収容部分の側からの、本発明に従う部材の斜視図である。
【図５】差込み部分の側からの、部材の斜視図である。
【図６ａ】引き抜かれた位置における、締付リングのセグメントの側面図である。
【図６ｂ】押して寄せ集められた位置における、締付リングのセグメントの側面図である。
【発明を実施するための形態】
【００２１】
図１は、差込み端部１、スリーブ２、部材３から成る締付リング４、封隙リング１１、スリーブリング６、および、緊張リング５、ねじ要素１９、並びに緊張要素２０の断面図を示している。
この差込み端部１は、緊張リング５を通って、スリーブ２内へと挿入されている。このスリーブ２は、スリーブ円錐面８を有するスリーブリング６を備えている。この円錐面は、中心軸線１０の方向内において傾斜されている。その際、この円錐面の概念が、正確な円錐形状の（kegelfoermige）面と関連付けられるのではなく、むしろ、円錐状の（kegelige）成形部と関連付けられることはコメントされるべきである。この面は、従って、断面において、必ずしも直線的ではなく、むしろ、同様にアーチ形にされ得、もしくは湾曲され得る。
【００２２】
スリーブ円錐面８において、封隙リング１１が当接しており、この封隙リングが、締付リングの下に至るまで、即ち、この締付リングの管側に至るまで延在している。
この締付リングの他方の側に、緊張リングが設けられており、この緊張リングは、緊張要素２０およびねじ要素１９を介して、スリーブリングの方向に引っ張られ得る。同様に、この緊張リングは、円錐面、特に緊張円錐面７を有している。同様に、この緊張円錐面は、中心軸線１０の方向に傾斜されており、且つ、上記したように、必ずしも、正確に円錐形状ではない。この締付リングは、多数の、互いの中へ差し込まれた部材３から成っており、その際、この断面図内において、２つの部材が目視され得る。
これら部材３は、それぞれに１つの差込み部分１４および収容部分１５を有している。
【００２３】
この図内において、従って、一方の部材３の差込み部分１４、および、それに続く部材３の収容部分１５が目視され得る。この差込み部分１４に、更に管側１２において、グリップ要素２１が設けられている。このグリップ要素は、この実施形態において、Ｌ字形に形成されており、且つ、管側１２にぎざぎざ部を有している。
これらぎざぎざ部が差込み端部１の表面内へと爪を立てて捉まることが可能であることを保証するために、グリップ要素の材料として、差込み端部１の材料よりも硬質である、良く知られている材料が使用される。これらグリップ要素は、この実施形態において、一貫したリングとして形成されてなく、むしろ、個別に、それぞれの部材３内において設けられている。
【００２４】
これらグリップ要素２１が、締付リングの多数の部材３にわたって延在する、可撓性のまたはスリットを付けられたリングとして形成されていること、または、
これらグリップ要素が、これら部材３と同じ材料から成っていること、及び／または、
これら部材３が、管側において、自身で、ぎざぎざ部を有しており、これらぎざぎざ部がグリップ要素として作用することは、しかしながら、全く考えられ得ることである。
スリットを付けられた、またはＣ字形のリングの使用の際、例えば、このリングは、ばね作用によって、個別の部材３を、ほぼ半径方向に外方へと押圧可能であり、且つ従って、このリングの直径を、差込み端部の挿入の際に最大にすることが可能である。
【００２５】
管結合の形成は、以下の工程を備えている：
差込み端部１は、緊張リング５、および締付リング４を通って、スリーブ２内へと挿入される。その際、この締付リングの内径は、異なる直径の管体の挿入が、容易に可能である程に大きい。
この差込み端部が挿入されている場合、緊張要素２０を介して、緊張リング５が、スリーブリング６の方向に引っ張られる。
この迅速な緊張によって、同様に、両方の円錐面７、８が、互いに移動され、且つ、従って、締付リングを管体の方向に押圧し、その際、この締付リングの幅９が、中心軸線１０から増大する間隔と共に減少している。
【００２６】
この迅速な緊張によって、差込み端部１の外側との、封隙部材およびグリップ要素の第１の結合が形成され、並びに、封隙リング１１の接触が、スリーブ円錐面において行われる。
より安定的な、およびより密な結合を形成するために、ここで、両方のリング、スリーブリング６および緊張リング５を、更に互いに引っ張るために、ねじ要素１９が使用される。その際、一方では、締付リングが、更により強固に、差込み端部の方向へと押圧され、および、他方では、封隙リング１１に対する押圧が、締付リング４とスリーブ円錐面８との間でより大きくなる。
ここで、この締付リング４が、更に、差込み端部の方向に移動された場合、この締付リング４が、この締付リングの外周において、可変であることは必要である。この可変性は、個別の部材３が、互いに位置移動可能に設けられていることによって与えられる。このことは、図４および５内において、更に説明されている。
【００２７】
本発明に従う緊張要素の更なる利点は、この様式の迅速緊張システムによって、結合の形成が、著しく容易にされることにある。
通常の方法において、この様式の管結合の外周において、少なくとも３つの、大抵、しかしながら、４つから８つまでのねじが、緊張リング５およびスリーブリング６に設けられている。この緊張要素による予緊張によって、これらねじ結合は、もはや締付けられるべきであるだけであり、且つ、有利な方法において、両方のリングを、更に別の区間にわたって互いに引っ張るためには使用されない。
【００２８】
この緊張要素は、この実施形態において、多段式の、エルボレバー迅速緊張システムとして形成されている。しかしながら、全ての迅速緊張システムは考えられ、これら迅速緊張システムが、両方のリング（５、６）の迅速な緊張を可能にする。
これらの様式の装置は、例えば、バックル機構（Schnallen）、ラチェット機構（Ratschen）、ベルト機構（Gurte）、ケーブル引張機構（Seilzuege）、クリップ機構（Clips）、またはこれに類する物である。
これら迅速緊張装置が、上記ねじ結合の代わりをすることも可能であることは、更にコメントされる。
【００２９】
図２は、本発明に従う締付リング４の更に別の実施形態の詳細図を示しており、この締付リングが、管体の差込み端部１に対して押圧されており、その際、管体方向へのこれら押圧力が、円錐面、即ち、緊張円錐面７およびスリーブ円錐面８を介して形成される。この締付リングは、幅９を有しており、この幅が、管体中心軸線１０からの増大する間隔と共に減少している。
この実施形態において、サイドフランジ１６の傾斜を付けられたこれら側壁は、円錐形状であり、且つ、このことによって、この断面において、直線として図示されている。この管体の差込み端部に対するこれら側壁の角度は、スリーブ側１３、および緊張リング側において、異なっていることは可能であり、しかしながら、同様に同じであることは可能である。
【００３０】
この実施形態において、緊張リング側の角度αは、スリーブ側の角度βよりも小さい。このことは、引抜き力（Auszugskraefte）、および従って、締付リング４のサイドフランジ１６に対する、緊張リング５からのおよび緊張円錐面からの押圧力が、半径方向の押圧力に、即ち、管体中心軸線１０の方向の押圧力に変換されるということの効果を有している。封隙部材の伸び、およびせん断を減少させるために、この締付リングのスリーブ側で、角度βはより大きい。
スリーブ側サイドフランジ２５内において、封隙溝部２７が設けられており、この封隙溝部内に、封隙リング１１の保持突起部２８が差し込まれている。この封隙リングは、更に、１つまたは多数の管体側隆起部２４を有しており、これら管体側隆起部がＯリングに類似して封隙作用を改善する。同様にこのスリーブ側において、スリーブ側隆起部２３が、封隙作用の改善のために設けられている。
【００３１】
緊張円錐面７と締付リング４とは、互いに、この実施形態において、１つの円形の線に沿って接している。この線接触は、異なる円錐角度によって与えられる。同様に、湾曲された円錐状の面の場合も、線接触の状態になる。
負荷および要求に応じて、両方の面の面接触を行うことは、しかしながら、同様に行われる。
【００３２】
同様に、スリーブ円錐面８と締付リング４とが、特に、封隙リング１１とスリーブ円錐面８とが、この実施形態において、如何なる面接触も有していない。弾性的な封隙部材の押し潰しの場合に初めて、面接触の状態になる。
同様にこの位置においても、要求に応じて、基本的な面接触を行うことは、全く考えられる。
【００３３】
締付リング４の、外方へと整向された側において、汚染封隙唇状片２２が設けられている。
締付リング内への、もしくは、個別の部材３の間のこの締付リングの間隙内への、砂、土、またはこれに類する、汚染する対照的の侵入を防止するために、この汚染封隙唇状片は、外方へと指向する部分を覆っている。この汚染封隙唇状片２２は、この実施形態において、締付リング４の外側を覆っており、しかしながら、もちろん、同様に緊張リング側の上へも、更に引き出され得る。
【００３４】
締付リング４の管側において、特に、部材３の差込み部分１４の管側において、グリップ要素２１が設けられている。
これらグリップ要素２１は、この実施形態において、Ｌ字形に形成されており、且つ、このグリップ要素の管側において、グリップ用ぎざぎざ部２９を有している。この締付リング４における固定は、この実施形態において、保持突起部３０の締付けによって、この部材３の保持溝部３１内において行われる。
【００３５】
図３は、ねじ結合の断面を示しており、このねじ結合が、緊張リング５をスリーブリング６と結合するか、及び／または、これら部材を互いに引っ張り可能にしている。
この実施形態において、１つのねじ結合が設けられていることは、ここで、コメントされる。しかしながら、もちろん、同様に例えば、ラチェット機構、クランプ機構（Schellen）、リベット機構（Nieten）、弾性的な引張り機構（elastische Zuege）、レンチ機構（Spanner）、バックル機構、およびその種の他の物のような他の結合タイプを使用することは可能である。この結合要素、ここでねじ要素１９は、スリーブリング６に対する、緊張リング５の移動、もしくは緊張の役目を果たす。
【００３６】
このねじ結合の操作が、実際上は、外から取り扱いの難しい領域内において生じるので、この結合を、可能な限り操作容易に形成することは必要である。
この実施形態において、従って、ねじ頭３６が六角形として形成されており、且つ、ねじ頭開口部３７内において位置しており、このねじ頭開口部が、このねじ頭開口部のサイドフランジ３８を有している。
【００３７】
この開口部は、ねじおよびねじ頭３６の差し込みが可能であるが、しかしながら、この差し込まれたねじ、特にねじ頭の回転運動が、妨害されているように形成されている。更に、管体要素の場合に、大抵設けられた抗腐食被覆部の保護のために、保護要素３９が設けられており、この保護要素は、ねじ頭開口部３７内におけるねじ頭３６の切込み作用を、上記保護被覆が、仮にねじの締付けトルクが極めて大きい場合であるとしても、傷付けられないように、減少させるべきである。
緊張リング５における、このねじ頭３６の相対して位置している側に、保持要素４０が設けられており、この保持要素が、ねじ軸上に締付けられており、且つ従って、この緊張リング５の開口部からのこのねじの脱落が、防止されている。
【００３８】
ねじの相対して位置している端部において、ナット４１が設けられており、このナットが、ワッシャ４２を介して、締付けられたねじの長手方向緊張をスリーブリング６の上に伝える。ねじ結合として、首長ボルトが、しかしながら同様に従来のねじも使用され得、その際、緊張の保持が、スリーブリング６および緊張リング５における附設形成部の弾性によって与えられることは、コメントされるべきである。
更に、このワッシャ４２が、同様に、緊張リング、皿ばね座金（Schnorrscheiben）、テーパ座金（Keilscheiben）、ばね座金、およびその種の他の物のような要素によって、代用され得ることは、コメントされるべきである。
【００３９】
図４は、２つのサイドフランジ１６−スリーブ側サイドフランジ２５および緊張リング側サイドフランジ２６、差込み部分１４および収容部分１５−を有する、収容部分１５の側からの、１つの部材３の外観を示しており、その際、これらサイドフランジにおいて、この実施形態においてスリーブ側サイドフランジ２５に、封隙溝部２７が、および、差込み部分１４に、保持溝部３１が、グリップ要素のために設けられている。
収容部分１５の領域内において、特に、両方のサイドフランジ１６の間において、窪み部１８が設けられている。これら窪み部１８は、長手孔形状に、または長手孔状に湾曲されて形成されている。これら窪み部は、更に図５内において記載されているように、ピン部１７の収容の役目を果たす。
【００４０】
サイドフランジ１６の外側の領域内において、エプロン要素３２が設けられている。これらエプロン要素３２は、互いに差し込まれた部材３の場合に、これに続く部材３のサイドフランジ１６を、少なくとも部分的に上から覆っている。
これらエプロンは、一方では、外からの汚染に対しての封隙の役目を果たし、および他方では、これらエプロンの湾曲された形状によって、部材３の互いの調心および案内の役目を果たす。更に、これらエプロンは、差込み部分１４および収容部分１５の部分も同様に、当接部として形成されている。
【００４１】
図５は、図４とおなじ部材３を、ただし、差込み部分側から見て示している。この部材は、差込み部分１４、収容部分１５、エプロン要素３２を有するサイドフランジ１６を、有している。差込み部分１４において、両側で、ピン部１７が設けられている。
これらピン部は、側方の方向内において、差込み部分１４から離れて延在し、且つ、互いに差し込まれた要素の場合に、これに続く部材の、収容部分１５の、同様に両側に設けられた長手孔形状の窪み部１８内へと係合している。更に、差込み部分１４の端面３３に、ばね要素３４が設けられている。このばね要素は、これに続く部材に対する、弾性的な間隔保持の役目を果たす。
【００４２】
図６は、互いの中へ差し込まれている部材３の１つの列の側方の外観を示しており、これら部材が、締付リング４の１つのセグメントを形成している。
図６ａは、可能な限り引き抜かれた位置におけるこの部分を示しており、および、図６ｂが、可能な限り押して寄せ集められた位置におけるこの配設を示している。前述の図内におけると同じに、これら部材３は、それぞれに１つの、差込み部分１４および収容部分１５を有している。
この差込み部分１４内において、ピン部１７が設けられており、これらピン部が、差込み部分の窪み部１８内へと係合可能である。これら窪み部１８は、１つの形状を有しており、従って、これらピン部は、特定の移動可能性を、特に１つの案内を、これら窪み部内において有している。従って、これら窪み部１８が、図示された実施形態内において、長手孔形状に形成されており、その際、長手側面が湾曲されている。
これら窪み部が、共鋳造（mitgegossen）され、フライス加工され、またはその他の製造技術的な工程によって製造され得ることは、同様にコメントされるべきである。
【００４３】
特別の成形および窪み部１８とのピン部１７の協働によって、部材３の所定の相対的な運動が互いに許容され、他の相対的な運動が妨害される。従って、この実施形態において、部材３の運動は、互いに、ピン部直径を差し引いた長手孔長さに相応する１つの道程にわたって可能である。
更に、制限された程度において、部材３の回転が、ピン部１７を中心として可能である。
このことは、更にサイドフランジ１６、及び／またはエプロン要素３２の、閉鎖エッジ部の曲線状の実施形態によって、特に許可される。差込み部分１４の端面３３において、ばね要素３４が設けられており、これらばね要素が、部材３を、互いに無負荷の状態において運動学的状況によって許容される道程の範囲内において、互いに遠ざける。
【００４４】
無負荷の状態において、締付リング４は、この締付リングの最大に引き出された状態において存在し、即ち、締付リング４が、最大の内径を有する位置内において存在している。この様式のばね要素は、部材３の離間のために設けられていること、しかしながら、強制的には設けられる必要が無いことは、コメントされるべきである。
同様に、緊張リング５、及び／またはスリーブリング６の、円錐状の実施形態によって、これら部材３の均等な分配が与えられている。引き出された位置において、それぞれの、サイドフランジ１６のエプロン要素３２は、これに続く部材３を、特に、差込み部分１４、および収容部分１５の少なくとも一部分を、上から覆っている。
【００４５】
この差込み結合部、即ち、その差込み部分に設けられたピン部１７と、収容部分１５の窪み部１８とでもっての該差込み部分１４は、従って、それぞれの引抜き位置において保護されており、且つ、このことによって、外方から取扱い可能ではない。このことは、例えば、土、砂、砂利、等のような汚染が、この領域内へと進入する、および締付リング４の運動可能性を従って阻害することの、如何なる可能性も有していないことの利点を有している。
これらピン部１７の異なる成形状態、例えば、ウェブ形状、矩形状、等によって、例えば、互いの部材３の誤回転の阻止、または同様に、互いの部材３の遊びの拡大の回避のような、更に別の運動学的な効果が得られることはコメントされるべきである。
【符号の説明】
【００４６】
１    差込み端部
２    スリーブ
３    部材
４    締付リング
５    緊張リング
６    スリーブリング
７    緊張円錐面、円錐面
８    スリーブ円錐面、円錐面
９    幅
１０  管体中心軸線、中心軸線
１１  封隙リング
１２  管側
１３  スリーブ側
１４  差込み部分
１５  収容部分
１６  サイドフランジ
１７  ピン部
１８  窪み部
１９  ねじ要素
２０  緊張要素
２１  グリップ要素
２２  汚染封隙唇状片
２３  スリーブ側隆起部
２４  管体側隆起部
２５  スリーブ側サイドフランジ
２６  緊張リング側サイドフランジ
２７  封隙溝部
２８  保持突起部
２９  グリップ用ぎざぎざ部
３０  保持突起部
３１  保持溝部
３２  エプロン要素
３３  端面
３４  ばね要素
４０  保持要素
４１  ナット
４２  ワッシャ
α  緊張リング側の角度
β  スリーブ側の角度
【図１】
2013524110.tif 000003
【図２】
2013524110.tif 000004
【図３】
2013524110.tif 000005
【図４】
2013524110.tif 000006
【図５】
2013524110.tif 000007
【図６ａ】
2013524110.tif 000008
【図６ｂ】
2013524110.tif 000009
【手続補正書】
【提出日】平成24年11月29日(2012.11.29)
【手続補正１】
【補正対象書類名】明細書
【補正対象項目名】全文
【補正方法】変更
【補正の内容】
【発明の詳細な説明】
【技術分野】
【０００１】
本発明は、
多数の外周方向において互いに移動可能に設けられた部材から構成された締付リングでもって、
スリーブとの、差込み端部の引き抜かれないような、および封隙状態の結合のための管結合装置であって、
この締付リングが、可変の外周を有しており、且つ、緊張リングでもって、スリーブリングに対して緊張可能であり、
その際、この緊張リングが緊張円錐面を、およびこのスリーブリングがスリーブ円錐面を有しており、
その際、これら両方の円錐面が、締付リングおよび中心軸線の方向に指向しており、その際、
この締付リングの幅が、中心軸線からの増大する間隔でもって減少しており、および、その際、
部材が、それぞれに１つの差込み部分および収容部分を有している、様式の上記管結合装置に関する。
【背景技術】
【０００２】
管体の結合のための、特に、差込み端部とスリーブとの、引き抜かれないような、および封隙状態の結合のための装置は、久しく長い以前から公知である。
【０００３】
２つの管体、特に差込み端部でもってのスリーブの結合の形成は、導管システムの場合多数の異なる方法で行われ得る、工程である。実際上は、この様式の結合の品質の良さ（Guete）を記載する、２つの主な論評が存在する。
【０００４】
第１の論評は、引抜き防止である。
圧力負荷された管体の場合、しかしながら同様に、多数の管体から成る、比較的に長い導管システムの場合にも、結合の分離を、引張力、もしくは圧縮力によって、防止することは、必要である。従って、導管システム内において、熱間もしくは冷間応力によって、地面の沈下によって、しかしながら同様に、圧力負荷された媒体によって、管体システム内において、比較的に大きな、数千のニュートンの引抜き力が生じる。この理由から、引抜き防止を行うことは必要である。
この引抜き防止は、大抵、くさび状面を介して行われ、このことによって、リングが、引抜き運動の際に、自己制動状態において、差込み端部に対して押圧される。
【０００５】
従来の引抜き防止の場合に課せられている課題は、締付リングが、単に、極めて制限された程度においてだけ、差込み端部の外側周囲に対して適合可能であることである。実際上、しかしながら、例えば管体が破損した場合、確かにこの管体の内側寸法が周知であるが、この管体の外側寸法はしかしながら、管体の使用される材料に依存し、且つ従って、周知ではないということが起きる。
特に、古い導管の場合、従って、修理ダクトの開放の際に初めて、この管体が、合成物質、鋼、またはその種の他の物かどうかが明らかになるということが起きる。材料に応じて、管体の厚さ、および従ってこの管体の外径は変化する。
修理チームのために、従来、従って、異なるスリーブを異なる外径のために携行することが、必要であった。この余分な経費を除去するために、久しく長い以前から、この様式の管体の異なる外径に対して自在に適合可能である、スリーブ結合を提供することの努力が存在する。
【０００６】
第２の論評は、結合の封隙性である。
同様に、管体媒体、例えばガスまたは水の流出に対する抵抗の場合、極めて高い圧力が、導管内に存在していることは、顧慮されるべきである。
封隙作用の場合、更に、
管体およびスリーブが、ある程度の表面非平滑性を有することが可能であること、
締付力が極めて強く変化可能であること、
長円形の変形の状態になる可能性があること、および、
多くの場合に、管体が、面一の状態に、互いに接し合うように並べられていないこと、
が顧慮されるべきである。
全てのこれら影響は、この様式の結合の封隙作用を阻害するべきではない。更に、同様に、周辺の媒体によって、または同様に、この管体内において案内される媒体によっての汚染に対する封隙も回避されるべきである。何故ならば、連結要素の移動可能性、および従って引抜き防止、および封隙性が、阻害されるからである。
【０００７】
特許文献１は、例えば、スリーブとの、差込み端部のための、引き抜かれないような、および封隙状態の結合を開示している。
その際、多数の互いに位置移動可能な締付要素から成っている締付リング、および、スリーブを管体に対して封隙する封隙リングが設けられている。この差込み端部に対する締付リングの締付けは、２つのくさび状面を用いて行われ、これらくさび状面が、固定ねじの締付けによって、この締付リングが半径方向に内方へと押圧されるように、互いに案内される。
この装置において、この実施形態によって、単に極めて僅かの寸法だけが異なる管直径に対する適合において可能であることは欠点である。更に、この封隙は、締付要素の下へと引っ張られず、このことは、実際上は、不利であることが判った。
同様に、この封隙は、単にくさび状のリングの迂回路だけを介して差込み端部に対して押圧され、且つ、従って、危険に曝された状態で、高い管押圧の場合に緩められ得る。
【０００８】
上記の様式の管結合の更なる発展を。特許文献２が示している。
この特許文献２は、封隙機構と締付リングでもっての、管体と差込み端部のための１つの管結合を開示しており、その際、この締付リングが、滑動する、互いに並列に位置している要素から成っており、これら要素が、１つの軸線を中心として管体軸線に対して平行に回転可能であり、従って、虹彩絞り状に（irisartig）内径を減少させる。この封隙作用は、封隙輪によって行われ、この封隙輪が、締付リングの管側から、この締付リングの周りを回って、スリーブ側へと延在している。
この構造において、差込み端部の管外径に対する締付装置の適合のために、これら部材の位置移動可能性が、互いにそれぞれの時点で可能でなくてはならないこと、および、
２つまたは多数の部材の強固な結合の際に、汚染によって、完全なリングが剛固になり、且つ従って、このリングの作用が強度に制限されていることは欠点である。
【０００９】
従来技術に相応する多領域連結装置（Mehrbereichskupplung）の更なる欠点は、緊張リング−締付リング−スリーブリングの間の結合部の結合、および緊張が、専ら、ねじを介して行われることである。４つから８つまでの、外周において分配されたねじの場合、このことは、時間のかかる工程である。何故ならば、傾倒の回避のために、これらねじが、単に、一つ一つ、締付けられ得るだけだからである。
【先行技術文献】
【特許文献】
【００１０】
【特許文献１】国際出願公開第９０／０７６７１号パンフレット
【特許文献２】独国出願公開第６９７０８４８０  Ｔ２明細書
【発明の概要】
【発明が解決しようとする課題】
【００１１】
本発明の課題は、スリーブとの差込み端部の結合を行うことであり、
この結合が、引き抜かれないように、十分に封隙状態で、且つ、この結合の使用領域内において可変であり、且つ更に、
汚染、高い引抜き力、高い媒体圧力に対して抵抗力が強く、
更に、この結合が、容易に、使用状態において迅速に組み込み可能であり、且つ迅速に組み付け可能であり、並びに、長い耐用期間を有している。
【課題を解決するための手段】
【００１２】
この本発明に従う課題は、
この収容部分が、サイドフランジを有しており、
これらサイドフランジが、その次の部材の差込み部分を、側方で、緊張円錐面およびスリーブ円錐面の領域内において、少なくとも部分的に取り囲んでいること、および、
収容部分の領域内において、両方のサイドフランジの間で、窪み部が、ピン部の収容のために設けられていることによって解決される。
【発明の効果】
【００１３】
更に、この管結合装置は、
部材の結合のために、ピン部および窪み部が設けられていること、１つの部材３の上記ピン部が、その次の部材３の上記窪み部内へと挿入可能であること、
ピン部が、ほぼ管体中心軸線に対して平行に、指向する状態で設けられていること、および、
窪み部が、収容部分のサイドフランジの内側に設けられていることによって特徴付けられている。
【００１４】
更なる有利な特徴は、
ピン部および窪み部が、相互の部材の位置移動、および、ピン部を中心としての部材の回転が可能であり、その際、１つの部材の位置移動が、その次の部材に対して相対的に、半径方向内において阻止されている、ように形成されていること、
窪み部が、長手孔形状に形成されていること、
１つの部材のサイドフランジが、その次の部材を、側方で、この部材の全高さにわたって取り囲んでいること、および、
サイドフランジが、エプロン要素を有しており、これらエプロン要素が、その次の部材を、少なくとも部分的に、側方で上から覆っていることである。
【００１５】
更に、本発明に従う管結合装置は、
エプロン要素が、その次の部材のサイドフランジを、少なくとも部分的に上から覆っていること、
封隙リングが設けられており、
この封隙リングが、締付リングに、少なくとも管側およびスリーブ側において、この締付リングの十分な外周において接触していること、および、
汚染封隙唇状片が設けられており、
この汚染封隙唇状片が、緊張リングとスリーブリングとの間の間隙を、及び／または、締付リングの外方へと指向する面を覆っていること、および、
この汚染封隙唇状片が、有利な方法で、封隙リングに設けられていること、によって特徴付けられている。
【００１６】
本発明に従い、
締付リングにおいて、封隙溝部が、封隙リングの保持突起部の収容のために設けられており、
この封隙溝部が、有利な方法で、締付リングの管側において、リング状に、個別の部材内における、この締付リングの全外周の周囲に切り欠かれていること、
締付リングの管側において、グリップ要素が設けられていること、
グリップ要素が、少なくとも、このグリップ要素の、管体の方を向いた面において、グリップ用ぎざぎざ部を有していること、および、
これらグリップ用ぎざぎざ部が、有利には、締付られる差込み端部よりも硬質の表面を有していることが行われる。
【００１７】
更に、この管結合装置は、
緊張リングが、緊張要素でもって、スリーブリングに対して緊張可能であり、その際、
この緊張力が、少なくとも部分的に、緊張円錐面、スリーブ円錐面、および締付リングを介して、差込み端部の方向に整向されていること、
緊張リングが、ねじ要素でもって、スリーブリングに対して緊張可能であり、その際、
この緊張力が、少なくとも部分的に、緊張円錐面、スリーブ円錐面、および締付リングを介して、差込み端部の方向に整向されていること、および、
引抜き力が、緊張円錐面、および、
この緊張円錐面の方を向いた締付リングの部分の角度αを介して、差込み端部の方向に整向されていること、によって特徴付けられている。
【００１８】
更なる有利な特徴は、明細書、請求の範囲、並びに図面から与えられる。
【００１９】
次に、本発明を、実施例に基づいて詳しく説明する。
【図面の簡単な説明】
【００２０】
【図１】本発明に従う管結合装置の断面図である。
【図２】本発明に従う管結合装置の詳細な断面図である。
【図３】本発明に従う装置の締付結合の断面図である。
【図４】収容部分の側からの、本発明に従う部材の斜視図である。
【図５】差込み部分の側からの、部材の斜視図である。
【図６ａ】引き抜かれた位置における、締付リングのセグメントの側面図である。
【図６ｂ】押して寄せ集められた位置における、締付リングのセグメントの側面図である。
【発明を実施するための形態】
【００２１】
図１は、差込み端部１、スリーブ２、部材３から成る締付リング４、封隙リング１１、スリーブリング６、および、緊張リング５、ねじ要素１９、並びに緊張要素２０の断面図を示している。
この差込み端部１は、緊張リング５を通って、スリーブ２内へと挿入されている。このスリーブ２は、スリーブ円錐面８を有するスリーブリング６を備えている。この円錐面は、中心軸線１０の方向内において傾斜されている。その際、この円錐面の概念が、正確な円錐形状の（kegelfoermige）面と関連付けられるのではなく、むしろ、円錐状の（kegelige）成形部と関連付けられることはコメントされるべきである。この面は、従って、断面において、必ずしも直線的ではなく、むしろ、同様にアーチ形にされ得、もしくは湾曲され得る。
【００２２】
スリーブ円錐面８において、封隙リング１１が当接しており、この封隙リングが、締付リングの下に至るまで、即ち、この締付リングの管側に至るまで延在している。
この締付リングの他方の側に、緊張リングが設けられており、この緊張リングは、緊張要素２０およびねじ要素１９を介して、スリーブリングの方向に引っ張られ得る。同様に、この緊張リングは、円錐面、特に緊張円錐面７を有している。同様に、この緊張円錐面は、中心軸線１０の方向に傾斜されており、且つ、上記したように、必ずしも、正確に円錐形状ではない。この締付リングは、多数の、互いの中へ差し込まれた部材３から成っており、その際、この断面図内において、２つの部材が目視され得る。
これら部材３は、それぞれに１つの差込み部分１４および収容部分１５を有している。
【００２３】
この図内において、従って、一方の部材３の差込み部分１４、および、それに続く部材３の収容部分１５が目視され得る。この差込み部分１４に、更に管側１２において、グリップ要素２１が設けられている。このグリップ要素は、この実施形態において、Ｌ字形に形成されており、且つ、管側１２にぎざぎざ部を有している。
これらぎざぎざ部が差込み端部１の表面内へと爪を立てて捉まることが可能であることを保証するために、グリップ要素の材料として、差込み端部１の材料よりも硬質である、良く知られている材料が使用される。これらグリップ要素は、この実施形態において、一貫したリングとして形成されてなく、むしろ、個別に、それぞれの部材３内において設けられている。
【００２４】
これらグリップ要素２１が、締付リングの多数の部材３にわたって延在する、可撓性のまたはスリットを付けられたリングとして形成されていること、または、
これらグリップ要素が、これら部材３と同じ材料から成っていること、及び／または、
これら部材３が、管側において、自身で、ぎざぎざ部を有しており、これらぎざぎざ部がグリップ要素として作用することは、しかしながら、全く考えられ得ることである。
スリットを付けられた、またはＣ字形のリングの使用の際、例えば、このリングは、ばね作用によって、個別の部材３を、ほぼ半径方向に外方へと押圧可能であり、且つ従って、このリングの直径を、差込み端部の挿入の際に最大にすることが可能である。
【００２５】
管結合の形成は、以下の工程を備えている：
差込み端部１は、緊張リング５、および締付リング４を通って、スリーブ２内へと挿入される。その際、この締付リングの内径は、異なる直径の管体の挿入が、容易に可能である程に大きい。
この差込み端部が挿入されている場合、緊張要素２０を介して、緊張リング５が、スリーブリング６の方向に引っ張られる。
この迅速な緊張によって、同様に、両方の円錐面７、８が、互いに移動され、且つ、従って、締付リングを管体の方向に押圧し、その際、この締付リングの幅９が、中心軸線１０から増大する間隔と共に減少している。
【００２６】
この迅速な緊張によって、差込み端部１の外側との、封隙部材およびグリップ要素の第１の結合が形成され、並びに、封隙リング１１の接触が、スリーブ円錐面において行われる。
より安定的な、およびより密な結合を形成するために、ここで、両方のリング、スリーブリング６および緊張リング５を、更に互いに引っ張るために、ねじ要素１９が使用される。その際、一方では、締付リングが、更により強固に、差込み端部の方向へと押圧され、および、他方では、封隙リング１１に対する押圧が、締付リング４とスリーブ円錐面８との間でより大きくなる。
ここで、この締付リング４が、更に、差込み端部の方向に移動された場合、この締付リング４が、この締付リングの外周において、可変であることは必要である。この可変性は、個別の部材３が、互いに位置移動可能に設けられていることによって与えられる。このことは、図４および５内において、更に説明されている。
【００２７】
本発明に従う緊張要素の更なる利点は、この様式の迅速緊張システムによって、結合の形成が、著しく容易にされることにある。
通常の方法において、この様式の管結合の外周において、少なくとも３つの、大抵、しかしながら、４つから８つまでのねじが、緊張リング５およびスリーブリング６に設けられている。この緊張要素による予緊張によって、これらねじ結合は、もはや締付けられるべきであるだけであり、且つ、有利な方法において、両方のリングを、更に別の区間にわたって互いに引っ張るためには使用されない。
【００２８】
この緊張要素は、この実施形態において、多段式の、エルボレバー迅速緊張システムとして形成されている。しかしながら、全ての迅速緊張システムは考えられ、これら迅速緊張システムが、両方のリング（５、６）の迅速な緊張を可能にする。
これらの様式の装置は、例えば、バックル機構（Schnallen）、ラチェット機構（Ratschen）、ベルト機構（Gurte）、ケーブル引張機構（Seilzuege）、クリップ機構（Clips）、またはこれに類する物である。
これら迅速緊張装置が、上記ねじ結合の代わりをすることも可能であることは、更にコメントされる。
【００２９】
図２は、本発明に従う締付リング４の更に別の実施形態の詳細図を示しており、この締付リングが、管体の差込み端部１に対して押圧されており、その際、管体方向へのこれら押圧力が、円錐面、即ち、緊張円錐面７およびスリーブ円錐面８を介して形成される。この締付リングは、幅９を有しており、この幅が、管体中心軸線１０からの増大する間隔と共に減少している。
この実施形態において、サイドフランジ１６の傾斜を付けられたこれら側壁は、円錐形状であり、且つ、このことによって、この断面において、直線として図示されている。この管体の差込み端部に対するこれら側壁の角度は、スリーブ側１３、および緊張リング側において、異なっていることは可能であり、しかしながら、同様に同じであることは可能である。
【００３０】
この実施形態において、緊張リング側の角度αは、スリーブ側の角度βよりも小さい。このことは、引抜き力（Auszugskraefte）、および従って、締付リング４のサイドフランジ１６に対する、緊張リング５からのおよび緊張円錐面からの押圧力が、半径方向の押圧力に、即ち、管体中心軸線１０の方向の押圧力に変換されるということの効果を有している。封隙部材の伸び、およびせん断を減少させるために、この締付リングのスリーブ側で、角度βはより大きい。
スリーブ側サイドフランジ２５内において、封隙溝部２７が設けられており、この封隙溝部内に、封隙リング１１の保持突起部２８が差し込まれている。この封隙リングは、更に、１つまたは多数の管体側隆起部２４を有しており、これら管体側隆起部がＯリングに類似して封隙作用を改善する。同様にこのスリーブ側において、スリーブ側隆起部２３が、封隙作用の改善のために設けられている。
【００３１】
緊張円錐面７と締付リング４とは、互いに、この実施形態において、１つの円形の線に沿って接している。この線接触は、異なる円錐角度によって与えられる。同様に、湾曲された円錐状の面の場合も、線接触の状態になる。
負荷および要求に応じて、両方の面の面接触を行うことは、しかしながら、同様に行われる。
【００３２】
同様に、スリーブ円錐面８と締付リング４とが、特に、封隙リング１１とスリーブ円錐面８とが、この実施形態において、如何なる面接触も有していない。弾性的な封隙部材の押し潰しの場合に初めて、面接触の状態になる。
同様にこの位置においても、要求に応じて、基本的な面接触を行うことは、全く考えられる。
【００３３】
締付リング４の、外方へと整向された側において、汚染封隙唇状片２２が設けられている。
締付リング内への、もしくは、個別の部材３の間のこの締付リングの間隙内への、砂、土、またはこれに類する、汚染する対照的の侵入を防止するために、この汚染封隙唇状片は、外方へと指向する部分を覆っている。この汚染封隙唇状片２２は、この実施形態において、締付リング４の外側を覆っており、しかしながら、もちろん、同様に緊張リング側の上へも、更に引き出され得る。
【００３４】
締付リング４の管側において、特に、部材３の差込み部分１４の管側において、グリップ要素２１が設けられている。
これらグリップ要素２１は、この実施形態において、Ｌ字形に形成されており、且つ、このグリップ要素の管側において、グリップ用ぎざぎざ部２９を有している。この締付リング４における固定は、この実施形態において、保持突起部３０の締付けによって、この部材３の保持溝部３１内において行われる。
【００３５】
図３は、ねじ結合の断面を示しており、このねじ結合が、緊張リング５をスリーブリング６と結合するか、及び／または、これら部材を互いに引っ張り可能にしている。
この実施形態において、１つのねじ結合が設けられていることは、ここで、コメントされる。しかしながら、もちろん、同様に例えば、ラチェット機構、クランプ機構（Schellen）、リベット機構（Nieten）、弾性的な引張り機構（elastische Zuege）、レンチ機構（Spanner）、バックル機構、およびその種の他の物のような他の結合タイプを使用することは可能である。この結合要素、ここでねじ要素１９は、スリーブリング６に対する、緊張リング５の移動、もしくは緊張の役目を果たす。
【００３６】
このねじ結合の操作が、実際上は、外から取り扱いの難しい領域内において生じるので、この結合を、可能な限り操作容易に形成することは必要である。
この実施形態において、従って、ねじ頭３６が六角形として形成されており、且つ、ねじ頭開口部３７内において位置しており、このねじ頭開口部が、このねじ頭開口部のサイドフランジ３８を有している。
【００３７】
この開口部は、ねじおよびねじ頭３６の差し込みが可能であるが、しかしながら、この差し込まれたねじ、特にねじ頭の回転運動が、妨害されているように形成されている。更に、管体要素の場合に、大抵設けられた抗腐食被覆部の保護のために、保護要素３９が設けられており、この保護要素は、ねじ頭開口部３７内におけるねじ頭３６の切込み作用を、上記保護被覆が、仮にねじの締付けトルクが極めて大きい場合であるとしても、傷付けられないように、減少させるべきである。
緊張リング５における、このねじ頭３６の相対して位置している側に、保持要素４０が設けられており、この保持要素が、ねじ軸上に締付けられており、且つ従って、この緊張リング５の開口部からのこのねじの脱落が、防止されている。
【００３８】
ねじの相対して位置している端部において、ナット４１が設けられており、このナットが、ワッシャ４２を介して、締付けられたねじの長手方向緊張をスリーブリング６の上に伝える。ねじ結合として、首長ボルトが、しかしながら同様に従来のねじも使用され得、その際、緊張の保持が、スリーブリング６および緊張リング５における附設形成部の弾性によって与えられることは、コメントされるべきである。
更に、このワッシャ４２が、同様に、緊張リング、皿ばね座金（Schnorrscheiben）、テーパ座金（Keilscheiben）、ばね座金、およびその種の他の物のような要素によって、代用され得ることは、コメントされるべきである。
【００３９】
図４は、２つのサイドフランジ１６−スリーブ側サイドフランジ２５および緊張リング側サイドフランジ２６、差込み部分１４および収容部分１５−を有する、収容部分１５の側からの、１つの部材３の外観を示しており、その際、これらサイドフランジにおいて、この実施形態においてスリーブ側サイドフランジ２５に、封隙溝部２７が、および、差込み部分１４に、保持溝部３１が、グリップ要素のために設けられている。
収容部分１５の領域内において、特に、両方のサイドフランジ１６の間において、窪み部１８が設けられている。これら窪み部１８は、長手孔形状に、または長手孔状に湾曲されて形成されている。これら窪み部は、更に図５内において記載されているように、ピン部１７の収容の役目を果たす。
【００４０】
サイドフランジ１６の外側の領域内において、エプロン要素３２が設けられている。これらエプロン要素３２は、互いに差し込まれた部材３の場合に、これに続く部材３のサイドフランジ１６を、少なくとも部分的に上から覆っている。
これらエプロンは、一方では、外からの汚染に対しての封隙の役目を果たし、および他方では、これらエプロンの湾曲された形状によって、部材３の互いの調心および案内の役目を果たす。更に、これらエプロンは、差込み部分１４および収容部分１５の部分も同様に、当接部として形成されている。
【００４１】
図５は、図４とおなじ部材３を、ただし、差込み部分側から見て示している。この部材は、差込み部分１４、収容部分１５、エプロン要素３２を有するサイドフランジ１６を、有している。差込み部分１４において、両側で、ピン部１７が設けられている。
これらピン部は、側方の方向内において、差込み部分１４から離れて延在し、且つ、互いに差し込まれた要素の場合に、これに続く部材の、収容部分１５の、同様に両側に設けられた長手孔形状の窪み部１８内へと係合している。更に、差込み部分１４の端面３３に、ばね要素３４が設けられている。このばね要素は、これに続く部材に対する、弾性的な間隔保持の役目を果たす。
【００４２】
図６は、互いの中へ差し込まれている部材３の１つの列の側方の外観を示しており、これら部材が、締付リング４の１つのセグメントを形成している。
図６ａは、可能な限り引き抜かれた位置におけるこの部分を示しており、および、図６ｂが、可能な限り押して寄せ集められた位置におけるこの配設を示している。前述の図内におけると同じに、これら部材３は、それぞれに１つの、差込み部分１４および収容部分１５を有している。
この差込み部分１４内において、ピン部１７が設けられており、これらピン部が、差込み部分の窪み部１８内へと係合可能である。これら窪み部１８は、１つの形状を有しており、従って、これらピン部は、特定の移動可能性を、特に１つの案内を、これら窪み部内において有している。従って、これら窪み部１８が、図示された実施形態内において、長手孔形状に形成されており、その際、長手側面が湾曲されている。
これら窪み部が、共鋳造（mitgegossen）され、フライス加工され、またはその他の製造技術的な工程によって製造され得ることは、同様にコメントされるべきである。
【００４３】
特別の成形および窪み部１８とのピン部１７の協働によって、部材３の所定の相対的な運動が互いに許容され、他の相対的な運動が妨害される。従って、この実施形態において、部材３の運動は、互いに、ピン部直径を差し引いた長手孔長さに相応する１つの道程にわたって可能である。
更に、制限された程度において、部材３の回転が、ピン部１７を中心として可能である。
このことは、更にサイドフランジ１６、及び／またはエプロン要素３２の、閉鎖エッジ部の曲線状の実施形態によって、特に許可される。差込み部分１４の端面３３において、ばね要素３４が設けられており、これらばね要素が、部材３を、互いに無負荷の状態において運動学的状況によって許容される道程の範囲内において、互いに遠ざける。
【００４４】
無負荷の状態において、締付リング４は、この締付リングの最大に引き出された状態において存在し、即ち、締付リング４が、最大の内径を有する位置内において存在している。この様式のばね要素は、部材３の離間のために設けられていること、しかしながら、強制的には設けられる必要が無いことは、コメントされるべきである。
同様に、緊張リング５、及び／またはスリーブリング６の、円錐状の実施形態によって、これら部材３の均等な分配が与えられている。引き出された位置において、それぞれの、サイドフランジ１６のエプロン要素３２は、これに続く部材３を、特に、差込み部分１４、および収容部分１５の少なくとも一部分を、上から覆っている。
【００４５】
この差込み結合部、即ち、その差込み部分に設けられたピン部１７と、収容部分１５の窪み部１８とでもっての該差込み部分１４は、従って、それぞれの引抜き位置において保護されており、且つ、このことによって、外方から取扱い可能ではない。このことは、例えば、土、砂、砂利、等のような汚染が、この領域内へと進入する、および締付リング４の運動可能性を従って阻害することの、如何なる可能性も有していないことの利点を有している。
これらピン部１７の異なる成形状態、例えば、ウェブ形状、矩形状、等によって、例えば、互いの部材３の誤回転の阻止、または同様に、互いの部材３の遊びの拡大の回避のような、更に別の運動学的な効果が得られることはコメントされるべきである。
【符号の説明】
【００４６】
１    差込み端部
２    スリーブ
３    部材
４    締付リング
５    緊張リング
６    スリーブリング
７    緊張円錐面、円錐面
８    スリーブ円錐面、円錐面
９    幅
１０  管体中心軸線、中心軸線
１１  封隙リング
１２  管側
１３  スリーブ側
１４  差込み部分
１５  収容部分
１６  サイドフランジ
１７  ピン部
１８  窪み部
１９  ねじ要素
２０  緊張要素
２１  グリップ要素
２２  汚染封隙唇状片
２３  スリーブ側隆起部
２４  管体側隆起部
２５  スリーブ側サイドフランジ
２６  緊張リング側サイドフランジ
２７  封隙溝部
２８  保持突起部
２９  グリップ用ぎざぎざ部
３０  保持突起部
３１  保持溝部
３２  エプロン要素
３３  端面
３４  ばね要素
４０  保持要素
４１  ナット
４２  ワッシャ
α  緊張リング側の角度
β  スリーブ側の角度
【手続補正２】
【補正対象書類名】特許請求の範囲
【補正対象項目名】全文
【補正方法】変更
【補正の内容】
【特許請求の範囲】
【請求項１】
多数の外周方向において互いに移動可能に設けられた部材（３）から構成された締付リング（４）でもって、
スリーブ（２）との、差込み端部（１）の引き抜かれないような、および封隙状態の結合のための管結合装置であって、
この締付リングが、可変の外周を有しており、且つ、緊張リング（５）でもって、スリーブリング（６）に対して緊張可能であり、
その際、この緊張リング（５）が緊張円錐面（７）を、およびこのスリーブリング（６）がスリーブ円錐面（８）を有しており、
その際、これら両方の円錐面（７、８）が、締付リング（４）および中心軸線（１０）の方向に指向しており、その際、
この締付リング（４）の幅（９）が、中心軸線（１０）からの増大する間隔でもって減少しており、および、その際、
部材（３）が、それぞれに１つの差込み部分（１４）および収容部分（１５）を有している、様式の上記管結合装置において、
この収容部分（１５）が、サイドフランジ（１６）を有しており、
これらサイドフランジが、その次の部材の差込み部分（１４）を、側方で、緊張円錐面（７）およびスリーブ円錐面（８）の領域内において、少なくとも部分的に取り囲んでいること、および、
収容部分（１５）の領域内において、両方のサイドフランジ（１６）の間で、窪み部（１８）が、ピン部（１７）の収容のために設けられていることを特徴とする管結合装置。
【請求項２】
部材（３）の結合のために、ピン部（１７）および窪み部（１８）が設けられていること、および、
１つの部材（３）の上記ピン部が、その次の部材（３）の上記窪み部内へと挿入可能であることを特徴とする請求項１に記載の管結合装置。
【請求項３】
ピン部（１７）は、
ほぼ管体中心軸線（１０）に対して平行に、指向する状態で設けられていることを特徴とする請求項２に記載の管結合装置。
【請求項４】
ピン部（１７）は、差込み部分（１４）に設けられていること、および、
窪み部（１８）が、収容部分（１５）のサイドフランジ（１６）の内側に設けられていることを特徴とする請求項２または３に記載の管結合装置。
【請求項５】
ピン部（１７）および窪み部（１８）は、
相互の部材（３）の位置移動、および、ピン部（１７）を中心としての部材の回転が可能であり、その際、１つの部材（３）の位置移動が、その次の部材（３）に対して相対的に、半径方向内において阻止されている、
ように形成されていることを特徴とする請求項２から４のいずれか一つに記載の管結合装置。
【請求項６】
窪み部（１８）は、長手孔形状に形成されていることを特徴とする請求項２から５のいずれか一つに記載の管結合装置。
【請求項７】
サイドフランジ（１６）は、エプロン要素（３２）を有しており、
これらエプロン要素が、その次の部材（３）を、または、その次の部材（３）のサイドフランジ（１６）を、少なくとも部分的に、側方で上から覆っていることを特徴とする請求項１から６のい
ずれか一つに記載の管結合装置。
【請求項８】
封隙リング（１１）が設けられており、
この封隙リングが、締付リング（４）に、少なくとも管側（１２）およびスリーブ側（１３）において、この締付リングの十分な外周において接触していることを特徴とする請求項１から７のいずれか一つに記載の管結合装置。
【請求項９】
汚染封隙唇状片（２２）が設けられており、
この汚染封隙唇状片が、緊張リング（５）とスリーブリング（６）との間の間隙を、及び／または、締付リング（４）の外方へと指向する面を覆っていること、および、
この汚染封隙唇状片が、有利な方法で、封隙リング（１１）に設けられていることを特徴とする請求項１から８のいずれか一つに記載の管結合装置。
【請求項１０】
締付リング（４）において、封隙溝部（２７）が、封隙リング（１１）の保持突起部（２８）の収容のために設けられており、
この封隙溝部が、有利な方法で、締付リング（４）の管側（１２）において、リング状に、個別の部材３内における、この締付リングの全外周の周囲に切り欠かれていることを特徴とする請求項１から９のいずれか一つに記載の管結合装置。
【請求項１１】
締付リング（４）の管側（１２）において、グリップ要素（２１）が設けられていること、
これらグリップ要素が、少なくとも、このグリップ要素の、管体の方を向いた面において、グリップ用ぎざぎざ部（２９）を有していること、および、
これらグリップ用ぎざぎざ部が、有利には、締付られる差込み端部（１）よりも硬質の表面を有していることを特徴とする請求項１から１０のいずれか一つに記載の管結合装置。
【請求項１２】
緊張リング（５）は、緊張要素（２０）でもって、スリーブリング（６）に対して緊張可能であり、その際、
この緊張力が、少なくとも部分的に、緊張円錐面（７）、スリーブ円錐面（８）、および締付リング（４）を介して、差込み端部（１）の方向に整向されていることを特徴とする請求項１から１１のいずれか一つに記載の管結合装置。
【請求項１３】
緊張リング（５）は、ねじ要素（１９）でもって、スリーブリング（６）に対して緊張可能であり、その際、
この緊張力が、少なくとも部分的に、緊張円錐面（７）、スリーブ円錐面（８）、および締付リング（４）を介して、差込み端部（１）の方向に整向されていることを特徴とする請求項１から１２のいずれか一つに記載の管結合装置。
【請求項１４】
引抜き力は、緊張円錐面（７）、および、
この緊張円錐面の方を向いた締付リング（４）の部分の角度（α）を介して、差込み端部（１）の方向に整向されていることを特徴とする請求項１から１３のいずれか一つに記載の管結合装置。
【請求項１５】
差込み部分の端面（３３）において、ばね要素（３４）が設けられており、これらばね要素が、部材（３）を、無負荷の状態において運動学的状況によって許容される道程の範囲内において、互いに遠ざけることを特徴とする請求項１から１４のいずれか一つに記載の管結合装置。
【国際調査報告】
2013524110.tif 000010
2013524110.tif 000011
2013524110.tif 000012
2013524110.tif 000013
2013524110.tif 000014
2013524110.tif 000015